(57)【要約】【課題】各種電子機器において、記録媒体の有無やメカニズムの動作検出等に用いられるレバースイッチに関し、移動体の検出位置のばらつきが小さく確実な検出が可能なレバースイッチを提供することを目的とする。【解決手段】ケース１の開口部１Ｂから外方に突出したレバー１４の操作部１４Ｂの先端部に、支点部である軸孔１４Ａ方向へ突出する当接部１４Ｃを設けることによって、操作部１４Ｂを押圧操作する移動体７の位置が上下方向にばらついたとしても、移動体７はレバー１４の操作部１４Ｂには常に当接部１４Ｃで当接して、レバースイッチのスイッチ接点がＯＮ状態となる検出位置がほぼ一定となり、検出位置が安定し確実な検出が可能なものにできる。【選択図】図１
2012190576.tif 000002
【特許請求の範囲】
【請求項１】
一側壁に開口部を有する略箱型のケースと、このケースに一端部の支点部が回動可能に保持されると共に、他方の操作部が前記ケースの前記開口部から外方に突出したレバーと、前記ケース内に設けられ、前記操作部が押圧操作されて回動する前記レバーによって電気的接離が行われるスイッチ接点からなり、前記レバーの操作部の先端部に前記支点部方向へ突出する当接部を設けたレバースイッチ。
【発明の詳細な説明】
【技術分野】
【０００１】
本発明は、各種電子機器において、記録媒体の有無やメカニズムの動作検出等に用いられるレバースイッチに関するものである。
【背景技術】
【０００２】
近年、ビデオやパソコン等の各種電子機器の小型化や高機能化が進むなか、これらのディスク等の記録媒体の有無、或いはメカニズムの動作検出等に用いられる検出用のレバースイッチにおいても、小型薄型で動作検出の確実なものが求められている。
【０００３】
このような従来のレバースイッチについて、図５〜図７を用いて説明する。
【０００４】
図５は従来のレバースイッチの断面図、図６は同分解斜視図であり、同図において、１は絶縁樹脂製で前面開口の略箱形のケースで、下内側壁には導電金属製の共通接点２が、これに隣接する右内側壁には同じく導電金属製の固定接点３が、インサート成形等によって各々植設固定されている。
【０００５】
そして、４は絶縁樹脂製のレバーで、右端の支点部としての軸孔４Ａがケース１右上方の支持軸１Ａに回動可能に装着されると共に、左端には左外側が略円弧状で軸孔４Ａ側がケース１上側面に対し略垂直または下方がやや広く傾斜した略三角状の操作部４Ｂが、ケース１の開口部１Ｂから上方へ突出している。
【０００６】
また、５は弾性金属薄板製で略Ｖ字状の可動接点で、全体がやや撓んだ状態でケース１内に収納されると共に、中間の折曲部５Ａの一方から延出した第１腕部５Ｂ左端に設けられた略コの字状の固定部５Ｃが、共通接点２とケース１の保持部１Ｃの間に圧入固定され、固定部５Ｃ下面の突部５Ｄが共通接点２に弾接している。
【０００７】
さらに、可動接点５の折曲部５Ａの他方から延出した第２腕部５Ｅの先端に形成された接点部５Ｆが、固定接点３上方のケース１右内側壁に弾接している。
【０００８】
そして、レバー４下面の下方へ突出形成された押圧部４Ｃが、可動接点５の折曲部５Ａ近傍を弾接すると共に、この可動接点５やレバー４を収納したケース１の前面を、金属薄板製のカバー６が覆って、レバースイッチが構成されている。
【０００９】
なお、ケース１内に配設された共通接点２及び固定接点３と、これらとレバー４の動作に伴って電気的接離が行われる可動接点５によってスイッチ接点が形成されている。
【００１０】
また、このように構成されたレバースイッチは、上下面に複数の配線パターンが形成された配線基板（図示せず）等に載置され、ケース１から外方へ突出した共通接点２や固定接点３の端子部が、所定の配線パターンにはんだ付けされ、機器の電子回路に電気的に接続される。
【００１１】
以上の構成において、機器側のディスク等の記録媒体の挿抜、或いはツマミや扉等のメカニズムにおいて、例えば、ディスクが載置されたトレー（図示せず）が機器内に進入すると、図５（ａ）に示すように、トレーに形成された略矩形の移動体７が、右方の所定位置Ｓから左方へ、ケース１上側面と所定の基準間隔で平行に移動して、移動体７左端の作動面７Ａが当接位置Ａ１で操作部４Ｂ右上部に当接する。
【００１２】
そして、移動体７が左方向へ移動しながら操作部４Ｂを押圧操作すると、レバー４が軸孔４Ａを支点として反時計方向へ回動すると共に、レバー４下面の押圧部４Ｃが可動接点５の折曲部５Ａ近傍を押圧しながら下方へ弾接摺動して、可動接点５全体がさらに撓んで、接点部５Ｆが下方へ弾接摺動する。
【００１３】
さらに、図５（ｂ）の断面図に示すように、移動体７が位置Ａ２に移動すると、可動接点５の接点部５Ｆはケース１右内側壁から下方の固定接点３に弾接して、共通接点２と固定接点３間が電気的に接続されたＯＮ状態となる。
【００１４】
そして、このように移動体７が検出位置Ａ２でスイッチ接点がＯＮ状態になることによって、ディスクの機器への挿入が検出されて、その検出信号により機器は所定の動作を開始する。
【００１５】
なお、図７（ａ）の断面図に示すように、例えば、レバースイッチの配線基板への実装位置のずれや、機器内のトレー装着位置のばらつきなどにより、移動体７が基準間隔より狭い下方に位置して、移動体７の作動面７Ａ下端がケース１上側面近傍の操作部４Ｂに当接する場合がある。
【００１６】
このとき、移動体７が操作部４Ｂの根元近傍に当接して押圧操作すると、図７（ｂ）に示すように、レバー４が軸孔４Ａを支点として操作部４Ｂの根元近傍との間の短い半径で回動するため、移動体７の移動に伴いスイッチ接点がＯＮ状態となる検出位置Ｂ２は、移動体７がケース１上側面から所定の基準間隔にあるときの検出位置Ａ２に比べ短いものとなって、移動体７の挿入検出位置にばらつきが生じ易いものであった。
【００１７】
なお、この出願の発明に関連する先行技術文献情報としては、例えば、特許文献１が知られている。
【先行技術文献】
【特許文献】
【００１８】
【特許文献１】特開２００８−７１５０４号公報
【発明の概要】
【発明が解決しようとする課題】
【００１９】
しかしながら、上記従来のレバースイッチにおいては、レバースイッチに対する移動体７の上下方向の位置のばらつきによって、操作部４Ｂの押圧操作される箇所が変化するため、レバースイッチによる移動体７の検出位置にばらつきが生じ易いという課題があった。
【００２０】
本発明は、このような従来の課題を解決するものであり、機器の移動体の上下方向のばらつきによっても、移動体の検出位置のばらつきが小さく、検出位置が安定し確実な検出が可能なレバースイッチを提供することを目的とする。
【課題を解決するための手段】
【００２１】
上記目的を達成するために本発明は、ケースの開口部から外方に突出したレバーの操作部の先端部に、支点部方向へ突出する当接部を設けてレバースイッチを構成したものであり、操作部を押圧操作する移動体の位置が上下方向にばらついても、移動体と操作部は常に支点部方向に突出した当接部で当接し、操作部が押圧操作される箇所が一定のため、レバースイッチが例えばＯＮ状態となる検出位置のばらつきが小さく、検出位置が安定し確実な検出が可能なレバースイッチを得ることができるという作用を有する。
【発明の効果】
【００２２】
以上のように本発明によれば、検出位置のばらつきが小さく、検出位置が安定し確実な検出が可能なレバースイッチを実現できるという有利な効果が得られる。
【図面の簡単な説明】
【００２３】
【図１】本発明の一実施の形態によるレバースイッチの断面図
【図２】同分解斜視図
【図３】同動作を示す断面図
【図４】同動作を示す断面図
【図５】従来のレバースイッチの断面図
【図６】同分解斜視図
【図７】同動作を示す断面図
【発明を実施するための形態】
【００２４】
以下、本発明の実施の形態について、図１〜図４を用いて説明する。
【００２５】
なお、背景技術の項で説明した構成と同一構成の部分には同一符号を付して、詳細な説明を簡略化する。
【００２６】
（実施の形態）
図１は本発明の一実施の形態による断面図、図２は同じく分解斜視図であり、同図において、１は液晶ポリマーやポリフェニレンサルファイト（以下、ＰＰＳと記載する）等の絶縁樹脂製で前面開口の略箱形のケースで、下内側壁には導電金属製の共通接点２が、これに隣接する右内側壁には同じく導電金属製の固定接点３が、インサート成形等によって各々植設固定されている。
【００２７】
そして、１４は略Ｌ字状で液晶ポリマーやＰＰＳ等の絶縁樹脂製のレバーで、右端の支点部としての軸孔１４Ａがケース１右上方の支持軸１Ａに回動可能に装着されると共に、左端部にはケース１の開口部１Ｂから外方へ突出した操作部１４Ｂが設けられている。
【００２８】
また、操作部１４Ｂは左側が略円弧状で、右側の軸孔１４Ａ側の先端部には軸孔１４Ａ方向へ突出する小さな略円弧状の当接部１４Ｃが形成されると共に、当接部１４Ｃの下側には軸孔１４Ａ方向に対し逆方向に窪んだ窪部１４Ｄが形成されている。
【００２９】
さらに、５は弾性金属薄板製で略Ｖ字状の可動接点で、全体がやや撓んだ状態でケース１内に収納されると共に、中間の折曲部５Ａの一方から延出した第１腕部５Ｂ左端に設けられた略コの字状の固定部５Ｃが、共通接点２とケース１の保持部１Ｃの間に圧入固定され、固定部５Ｃ下面の突部５Ｄが共通接点２に弾接している。
【００３０】
さらに、可動接点５の折曲部５Ａの他方から延出した第２腕部５Ｅの先端に形成された接点部５Ｆが、固定接点３上方のケース１右内側壁に弾接している。
【００３１】
そして、レバー１４下面の下方へ突出形成された押圧部１４Ｅが、可動接点５の折曲部５Ａ近傍を弾接すると共に、この可動接点５やレバー１４を収納したケース１の前面を、金属薄板製のカバー６が覆って、レバースイッチが構成されている。
【００３２】
なお、ケース１内に配設された共通接点２及び固定接点３と、これらとレバー１４の動作に伴って電気的接離が行われる可動接点５とによってスイッチ接点が形成されている。
【００３３】
また、このように構成されたレバースイッチは、上下面に複数の配線パターンが形成された配線基板（図示せず）等に載置され、ケース１から外方へ突出した共通接点２や固定接点３の端子部が、所定の配線パターンにはんだ付けされ、機器の電子回路に電気的に接続される。
【００３４】
以上の構成において、機器側のディスク等の記録媒体の挿抜、或いはツマミや扉等のメカニズム等で、例えば、ディスクが載置されたトレー（図示せず）が機器内に進入すると、図１に示すように、トレーに形成された略矩形の移動体７が、操作部１４Ｂから離れた右方の所定位置Ｓから左方へ、ケース１上側面と所定の基準間隔で平行に移動して、移動体７左端の作動面７Ａが当接位置Ａ１で操作部１４Ｂの先端部の当接部１４Ｃに当接する。
【００３５】
そして、移動体７が左方向へ移動しながら操作部１４Ｂの当接部１４Ｃを押圧操作すると、レバー１４が軸孔１４Ａを支点として反時計方向へ回動すると共に、レバー１４下面の押圧部１４Ｅが可動接点５の折曲部５Ａ近傍を押圧しながら下方へ弾接摺動して、可動接点５全体がさらに撓んで、接点部５Ｆがケース１右内側壁から下方へ弾接摺動する。
【００３６】
さらに、図３（ａ）の断面図に示すように、移動体７が位置Ａ２に移動すると、可動接点５の接点部５Ｆが下方の固定接点３に弾接して、共通接点２と固定接点３間が電気的に接続されたＯＮ状態となる。
【００３７】
そして、このように移動体７が検出位置Ａ２でスイッチ接点がＯＮ状態になることによって、ディスクの機器への挿入が検出されて、その検出信号により機器は所定の動作を開始する。
【００３８】
なお、右方から移動してきた移動体７の作動面７Ａが当接部１４Ｃに当接してから、少なくともスイッチ接点がＯＮ状態となるまでは、レバー１４が回動しても当接部１４Ｃのみが作動面７Ａに常に当接するように、当接部１４Ｃ下方の窪部１４Ｄは形成されている。
【００３９】
その後、続いて移動体７が左方へ移動すると、図３（ｂ）に示すように、移動体７は操作部１４Ｂを下方へ押下げて、その上端を通過すると共に、スイッチ接点のＯＮ状態が継続した状態で所定の位置で停止する。
【００４０】
また、進入したトレー等が外方の右方向へ移動して、移動体７によるレバー１４への押圧操作が解除されると、可動接点５の弾性復帰力によって、レバー１４が上方向に付勢されて回動すると共に、接点部５Ｆも固定接点３上を上方へ弾接摺動し、ケース１右内側壁に弾接して、共通接点２と固定接点３間が電気的に切断された、図１のＯＦＦ状態に復帰するように構成されている。
【００４１】
なお、このようなレバースイッチが装着される機器において、図４（ａ）の断面図に示すように、例えば、レバースイッチの配線基板への実装位置のずれや、機器内のトレー装着位置のばらつきなどにより、移動体７が下方にずれて、レバースイッチのケース１上側面に対し基準間隔より接近した位置で、右方から操作部１４Ｂに当接して押圧操作する場合がある。
【００４２】
このとき、移動体７の作動面７Ａは移動体７の上下方向の位置に関係なく、操作部１４Ｂの当接部１４Ｃに当接しながら、レバー１４を反時計方向へ回動させる。
【００４３】
したがって、図４（ｂ）に示すように、移動体７は当接位置Ａ１で当接部１４Ｃに当接してから可動接点５の接点部５Ｆが固定接点３に弾接してスイッチ接点がＯＮ状態となる検出位置Ｃ２は、上述したような移動体７が所定の基準間隔で配置された時の検出位置Ａ２とほぼ同じものとなる。
【００４４】
つまり、移動体７の上下方向の位置が多少ずれて配置されたとしても、移動体７は常に操作部１４Ｂの当接部１４Ｃに当接しこれを押圧操作するため、移動体７の左方向への移動に伴うレバースイッチによる検出位置はほぼ一定で安定したものとなる。
【００４５】
このように本実施の形態によれば、ケース１の開口部１Ｂから外方に突出したレバー１４の操作部１４Ｂの先端部に、支点部としての軸孔１４Ａ方向へ突出する当接部１４Ｃを設けることによって、操作部１４Ｂを押圧操作する移動体７の位置が上下方向にばらついたとしても、移動体７はレバー１４の操作部１４Ｂには常に当接部１４Ｃで当接して、レバー１４が押圧操作されて回動するため、レバースイッチのスイッチ接点がＯＮ状態となる検出位置がほぼ一定となり、検出位置が安定し確実な検出が可能なレバースイッチを実現することができる。
【００４６】
なお、以上の説明では、レバー１４を押圧操作すると所定の位置でＯＮ状態となり、レバー１４への押圧操作を解除するとＯＦＦ状態となるレバースイッチとして説明したが、これとは逆に、レバー１４が上方へ付勢された位置ではＯＮ状態で、レバー１４を押圧操作すると所定の位置でＯＦＦ状態となるレバースイッチにおいても本発明の実施は可能である。
【００４７】
また、レバースイッチをレバー１４の支点部としての軸孔１４Ａがケース１の支持軸１Ａに支持され、レバー１４がケース１に回動可能に装着されたものとしたが、レバー１４に支点部として支持軸を設けると共に、この支持軸がケース１に設けた軸孔に支持される構成のものとしても良い。
【００４８】
さらに、以上の説明では、Ｖ字形の可動接点５によって固定接点３と弾接摺動するレバースイッチを例に挙げて説明したが、所定方向へのレバーの回動に伴って内部のスイッチ接点の電気的接離が行われるレバースイッチであれば本発明の実施は可能である。
【産業上の利用可能性】
【００４９】
本発明によるレバースイッチは、検出位置が安定し確実な検出が可能なものが得られ、各種電子機器において、記録媒体の有無やメカニズムの動作検出等に有用である。
【符号の説明】
【００５０】
１  ケース
１Ａ  支持軸
１Ｂ  開口部
１Ｃ  保持部
２  共通接点
３  固定接点
５  可動接点
５Ａ  折曲部
５Ｂ  第１腕部
５Ｃ  固定部
５Ｄ  突部
５Ｅ  第２腕部
５Ｆ  接点部
６  カバー
７  移動体
１４  レバー
１４Ａ  軸孔
１４Ｂ  操作部
１４Ｃ  当接部
１４Ｄ  窪部
１４Ｅ  押圧部
【図１】
2012190576.tif 000003
【図２】
2012190576.tif 000004
【図３】
2012190576.tif 000005
【図４】
2012190576.tif 000006
【図５】
2012190576.tif 000007
【図６】
2012190576.tif 000008
【図７】
2012190576.tif 000009